【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
イーサネット(登録商標）受動光ネットワーク（ＥＰＯＮ）において種々のクロック周
波数を適応させる方法であって、該ＥＰＯＮは、光回線終端装置（ＯＬＴ）と１つ以上の光ネットワークユニット（ＯＮＵ）とを含み、該方法は、
該ＯＮＵにおいて該ＯＬＴから信号を受信することと、
該受信された信号からＯＬＴクロックを引き出すことと、
ローカルクロックを保守することと、
アップストリーム伝送ウィンドウに対する割当てを該ＯＬＴから受信することであって、受信中に、該ＯＮＵは、該ローカルクロックに基づき、アップストリームデータバーストを該ＯＬＴに伝送し得る、ことと、
該データバーストにおいて運ばれるペイロードデータに影響を及ぼすことなく、該データバーストのビット数を調整することであって、それによって、該データバーストが該アップストリーム伝送ウィンドウ内に適切に適合することを可能にし、該ローカルクロックと該ＯＬＴクロックとの間の周波数差を補償する、ことと、
該アップストリーム伝送ウィンドウにおける該ローカルクロックに基づき、該データバーストを送信することと
を包含する、方法。
【請求項２】
前記データバーストのビット数を調整することは、
前記ローカルクロックに基づく該データバーストの伝送時間が、前記ＯＬＴクロックに基づく伝送時間より所定の閾値だけ短いとき、前記ペイロードデータに影響を及ぼすことなく該データバーストに１つ以上の未使用のビットを挿入することを伴う、請求項１に記載の方法。
【請求項３】
前記所定の閾値は、前記ローカルクロックまたは前記ＯＬＴクロックに基づく前記文字の伝送時間に対応し、
前記データバーストに１つ以上の未使用のビットを挿入することは、該データバーストに含まれている２つのパケットの間のインターパケットギャップにアイドル文字を挿入することを伴う、請求項２に記載の方法。
【請求項４】
前記データバーストのビット数を調整することは、
前記ローカルクロックに基づく該データバーストの伝送時間が、前記ＯＬＴクロックに基づく伝送時間より所定の閾値だけ長いとき、前記ペイロードデータに影響を及ぼすことなく該データバーストから１つ以上の未使用のビットを除去することを伴う、請求項１に記載の方法。
【請求項５】
前記所定の閾値は、前記ローカルクロックまたは前記ＯＬＴクロックに基づく前記文字の伝送時間に対応し、
前記データバーストから１つ以上の未使用のビットを除去することは、該データバーストに含まれている２つのパケットの間のインターパケットギャップからアイドル文字を除去することを伴う、請求項４に記載の方法。
【請求項６】
ＥＰＯＮにおいて種々のクロック周波数を適応させる方法であって、該ＥＰＯＮはＯＬＴと１つ以上のＯＮＵとを含み、該方法は、
該ＯＮＵにおいて該ＯＬＴから信号を受信することと、
該受信された信号からＯＬＴクロックを引き出すことと、
ローカルクロックを保守することと、
該ローカルクロックと該ＯＬＴクロックとを比較することと、
該比較に基づき該ＯＬＴからアップストリーム伝送ウィンドウを要求することと
を包含し、該アップストリーム伝送ウィンドウは、該ローカルクロックに基づき伝送されるアップストリームデータバーストを適応させ得る、方法。
【請求項７】
前記データバーストのサイズおよび前記ローカルクロックに基づき、前記アップストリーム伝送ウィンドウの持続期間を決定することと、
該決定された持続期間中に、前記ＯＬＴクロックに基づき伝送され得るデータ量に関して、該アップストリーム伝送ウィンドウのサイズを決定することと
をさらに包含し、
該アップストリーム伝送ウィンドウを要求することは、該ＯＬＴクロックに基づき送信されるデータ量に関して、該アップストリーム伝送ウィンドウの該決定されたサイズを該ＯＬＴに通信することを伴う、請求項６に記載の方法。
【請求項８】
ＥＰＯＮにおいて種々のクロック周波数を適応させるシステムであって、該ＥＰＯＮはＯＬＴと１つ以上のＯＮＵとを含み、該システムは、
ＯＬＴクロック引き出しメカニズムであって、
該ＯＮＵにおいて該ＯＬＴから信号を受信するように、
かつ該受信された信号からＯＬＴクロックを引き出すように、
構成されている、ＯＬＴクロック引き出しメカニズムと、
ローカルクロックと、
アップストリーム伝送ウィンドウに対する割当てを該ＯＬＴから受信するように構成された受信メカニズムであって、受信中に、該ＯＮＵは該ローカルクロックに基づき、アップストリームデータバーストを該ＯＬＴに伝送し得る、受信メカニズムと、
該データバーストにおいて運ばれるペイロードデータに影響を及ぼすことなく、該データバーストのビット数を調整するように構成された調整メカニズムであって、それによって、該データバーストが該アップストリーム伝送ウィンドウ内に適切に適合することを可能にし、該ローカルクロックと該ＯＬＴクロックとの間の周波数差を補償する、調整メカニズムと、
該アップストリーム伝送ウィンドウにおける該ローカルクロックに基づき、該データバーストを送信するように構成された伝送メカニズムと
を備えている、システム。
【請求項９】
前記調整メカニズムは、
前記ローカルクロックに基づく前記データバーストの伝送時間が、前記ＯＬＴクロックに基づく伝送時間より所定の閾値だけ短いとき、前記ペイロードデータに影響を及ぼすことなく該データバーストに１つ以上の未使用のビットを挿入するように構成される挿入メカニズム
を備えている、請求項８に記載のシステム。
【請求項１０】
前記所定の閾値は、前記ローカルクロックまたは前記ＯＬＴクロックに基づく前記文字の伝送時間に対応し、
前記データバーストに１つ以上の未使用のビットを挿入する間に、前記挿入メカニズムは、該データバーストに含まれている２つのパケットの間のインターパケットギャップにアイドル文字を挿入するように構成されている、請求項９に記載のシステム。
【請求項１１】
前記調整メカニズムは、
前記ローカルクロックに基づく前記データバーストの伝送時間が前記ＯＬＴクロックに基づく伝送時間より所定の閾値だけ長いとき、前記ペイロードデータに影響を及ぼすことなく該データバーストから１つ以上の未使用のビットを除去するように構成される除去メカニズム
を備えている、請求項８に記載のシステム。
【請求項１２】
前記所定の閾値は、前記ローカルクロックまたは前記ＯＬＴクロックに基づく前記文字の伝送時間に対応し、
前記データバーストから１つ以上の未使用のビットを除去する間に、前記除去メカニズムは、該データバーストに含まれている２つのパケットの間のインターパケットギャップからアイドル文字を除去するように構成される、請求項１１に記載のシステム。
【請求項１３】
ＥＰＯＮにおける種々のクロック周波数を適応させるシステムであって、該ＥＰＯＮはＯＬＴと１つ以上のＯＮＵとを含み、該システムは、
ＯＬＴクロック引き出しメカニズムであって、
該ＯＮＵにおいて該ＯＬＴから信号を受信するように、
かつ該受信された信号からＯＬＴクロックを引き出すように、
構成されているＯＬＴクロック引き出しメカニズムと、
ローカルクロックと、
該ローカルクロックと該ＯＬＴクロックとを比較するように構成された比較メカニズムと、
該比較に基づき該ＯＬＴからアップストリーム伝送ウィンドウを要求するように構成された要求メカニズムであって、該アップストリーム伝送ウィンドウは、該ローカルクロックに基づき伝送されるアップストリームデータバーストを適応させ得る、要求メカニズムと
を備えている、システム。
【請求項１４】
決定メカニズムであって、
前記データバーストのサイズおよび前記ローカルクロックに基づき、前記アップストリーム伝送ウィンドウの前記持続期間を決定するように、
かつ該決定された持続期間中に、前記ＯＬＴクロックに基づき伝送され得るデータ量に関して、該アップストリーム伝送ウィンドウのサイズを決定するように構成される、決定メカニズム
をさらに備え、
該アップストリーム伝送ウィンドウを要求する間、前記要求メカニズムは、該ＯＬＴクロックに基づき送信されるデータ量に関して、該ＯＬＴに該アップストリーム伝送ウィンドウの該決定されたサイズを通信するように構成される、請求項１３に記載のシステム。
【請求項１５】
コンピュータによって実行される場合、該コンピュータに、ＥＰＯＮにおいて種々のクロック周波数を適用させる方法を実行させる命令を格納するコンピュータ読み取り可能な記憶媒体であって、該ＥＰＯＮはＯＬＴと１つ以上のＯＮＵとを含み、該方法は、
該ＯＮＵにおいて該ＯＬＴから信号を受信することと、
該受信された信号からＯＬＴクロックを引き出すことと、
ローカルクロックを保守することと、
アップストリーム伝送ウィンドウに対する割当てを該ＯＬＴから受信することであって、受信中に、該ＯＮＵは該ローカルクロックに基づき、アップストリームデータバーストを該ＯＬＴに伝送し得る、ことと、
該データバーストにおいて運ばれる前記ペイロードデータに影響を及ぼすことなく、該データバーストのビット数を調整することであって、それによって、該データバーストが該アップストリーム伝送ウィンドウ内に適切に適合することを可能にし、該ローカルクロックと該ＯＬＴクロックとの間の周波数差を補償する、ことと、
該アップストリーム伝送ウィンドウにおける該ローカルクロックに基づき、該データバーストを送信することと
を包含する、コンピュータ読み取り可能な記憶媒体。
【請求項１６】
前記データバーストの前記ビット数を調整することは、
前記ローカルクロックに基づく該データバーストの伝送時間が、該ＯＬＴクロックに基づく伝送時間より所定の閾値だけ短いとき、前記ペイロードデータに影響を及ぼすことなく該データバーストに１つ以上の未使用のビットを挿入すること
を伴う、請求項１５に記載のコンピュータ読み取り可能な記憶媒体。
【請求項１７】
前記所定の閾値は、前記ローカルクロックまたは前記ＯＬＴクロックに基づく前記文字の伝送時間に対応し、
前記データバーストに１つ以上の未使用のビットを挿入することは、該データバーストに含まれている２つのパケットの間のインターパケットギャップにアイドル文字を挿入することを伴う、請求項１６に記載のコンピュータ読み取り可能な記憶媒体。
【請求項１８】
前記データバーストの前記ビット数を調整することは、
前記ローカルクロックに基づく該データバーストの伝送時間が、該ＯＬＴクロックに基づく伝送時間より所定の閾値だけ長いとき、前記ペイロードデータに影響を及ぼすことなく該データバーストから１つ以上の未使用のビットを除去すること伴う、請求項１５に記載のコンピュータ読み取り可能な記憶媒体。
【請求項１９】
前記所定の閾値は、前記ローカルクロックまたは前記ＯＬＴクロックに基づき前記文字の伝送時間に対応し、
前記データバーストから１つ以上の未使用のビットを除去することは、該データバーストに含まれている２つのパケットの間のインターパケットギャップからアイドル文字を除去することを伴う、請求項１８に記載のコンピュータ読み取り可能な記憶媒体。
【請求項２０】
コンピュータによって実行される場合、該コンピュータに、ＥＰＯＮにおいて種々のクロック周波数を適応させる方法を実行させる命令を格納するコンピュータ読み取り可能な記憶媒体であって、該ＥＰＯＮはＯＬＴと１つ以上のＯＮＵと含み、該方法は、
該ＯＮＵにおいて該ＯＬＴから信号を受信することと、
該受信された信号からＯＬＴクロックを引き出すことと、
ローカルクロックを保守することと、
該ローカルクロックと該ＯＬＴクロックを比較することと、
該比較に基づきアップストリーム伝送ウィンドウを該ＯＬＴから要求することと
を包含し、該アップストリーム伝送ウィンドウは、該ローカルクロックに基づき伝送されるアップストリームデータバーストを適応させ得る、コンピュータ読み取り可能な記憶媒体。
【請求項２１】
前記方法は、
前記データバーストのサイズおよび前記ローカルクロックに基づき、前記アップストリーム伝送ウィンドウの持続期間を決定することと、
該決定された持続期間中に、前記ＯＬＴクロックに基づき伝送され得るデータ量に関して、該アップストリーム伝送ウィンドウのサイズを決定することと
をさらに包含し、
該アップストリーム伝送ウィンドウを要求することは、該ＯＬＴクロックに基づき送信されるデータ量に関して、該ＯＬＴに該アップストリーム伝送ウィンドウの該決定されたサイズを通信することを伴う、請求項２０に記載のコンピュータ読み取り可能な記憶媒体。